Podtech/llm-jp-corpus-v4-ja_patent huggingface dataset:
(57)【要約】【課題】変位制限部に対向電極が接触した際、変位制限部や対向電極が破損することを防止する。【解決手段】ストッパ構造８の側壁にはトラス構造の変位制限部１０が形成されている。このような変位制限部１０によれば、直方体形状や半球状の変位制限部と比較して変位制限部に弾性を持たせることができるので、変位制限部１０に対向電極が接触した際、変位制限部１０や可動電極６が破損することを防止できる。【選択図】図３
2008292413.tif 000002
【特許請求の範囲】
【請求項１】
フレーム部に対し揺動自在に支持された可動電極と当該可動電極に対向配置された固定電極とを有し、可動電極が揺動することによって可動電極と固定電極間の隙間幅が変化することに伴う静電容量の変化を検知することにより物理量を検知する半導体物理量センサであって、前記可動電極及び前記固定電極の対向面の一方に配置され、前記可動電極の過度な変位を制限するトラス構造の変位制限部を備えることを特徴とする半導体物理量センサ。
【請求項２】
請求項１に記載の半導体物理量センサにおいて、前記変位制限部が多重構造を有することを特徴とする半導体物理量センサ。
【発明の詳細な説明】
【技術分野】
【０００１】
本発明は、加速度等の物理量を検知する半導体物理量センサに関する。
【背景技術】
【０００２】
従来より、フレーム部に対し揺動自在に支持された可動電極と、この可動電極に対向配置された固定電極とを有し、可動電極が揺動することによって可動電極と固定電極との間の隙間幅が変化することに伴う静電容量の変化を検出することにより、加速度等の物理量を検出する半導体物理量センサが知られている（特許文献１参照）。
【特許文献１】特開２００６−１５３５１５号公報
【発明の開示】
【発明が解決しようとする課題】
【０００３】
従来の半導体物理量センサは、固定電極の対向面に直方体形状や半球状の変位制限部を形成することにより可動電極の過度な変位を規制するようにしている。このため、従来の半導体物理量センサによれば、変位制限部に可動電極が接触した際、変位制限部や可動電極が破損することがあった。
【０００４】
本発明は上記課題を解決するためになされたものであり、その目的は変位制限部や可動電極が破損することを防止可能な半導体物理量センサを提供することにある。
【課題を解決するための手段】
【０００５】
本発明に係る半導体物理量センサは、フレーム部に対し揺動自在に支持された可動電極と可動電極に対向配置された固定電極とを有し、可動電極が揺動することによって可動電極と固定電極間の隙間幅が変化することに伴う静電容量の変化を検知することにより物理量を検知する半導体物理量センサであって、可動電極及び固定電極の対向面の一方に配置され、可動電極の過度な変位を制限するトラス構造の変位制限部を備える。
【発明の効果】
【０００６】
本発明に係る半導体物理量センサによれば、変位制限部が衝撃を吸収可能なトラス構造となっているので、変位制限部に対向電極が接触した際、変位制限部や対向電極が破損することを防止できる。
【発明を実施するための最良の形態】
【０００７】
以下、図面を参照して、本発明の実施形態となる半導体物理量センサ及びその変位制限部の構成について説明する。
【０００８】
〔半導体物理量センサの構成〕
本発明の一実施形態となる半導体物理量センサ１は、図１に示すようにガラス基板２ａ，２ｂによりＳｉ等により形成される半導体基板３を挟持した構成を有し、半導体基板３は、図２に示すように、ビーム（バネ）部４によってフレーム部５に対し揺動自在に支持された可動電極６と、可動電極６に対向配置された固定電極７とを有する。またこの半導体物理量センサ１では、可動電極６と固定電極７の対向面の一部には櫛歯電極６ａ，７ａが互いに噛み合うように設けられていると共に、可動電極６の過度な変位を規制するためのストッパ構造８ａ〜８ｄが設けられている。このような構成を有する半導体物理量センサ１では、加速度等の物理量が加わった際、可動電極６が揺動することによって櫛歯電極６ａ，７ａ間の隙間幅が変化し、さらに隙間幅の変化に伴い静電容量が変化するので、電極端子９ａ〜９ｄを介して静電容量の変化を検知することにより加速度等の物理量を検知できる。なお図２中の参照符号９ｅはフレーム部５に設けられた接地端子を示す。
【０００９】
〔ストッパ構造の構成〕
上記ストッパ構造８（８ａ〜８ｄ）の側壁には、図３（ａ），（ｂ）に示すように、ストッパ構造８の側壁部に予め形成した突起部に半導体製造プロセスを利用して複数の孔を形成することにより、ワーレントラス，プラットトラス，ハウトラス等のトラス構造の変位制限部１０が形成されている。このような変位制限部１０によれば、直方体形状や半球状の変位制限部と比較して変位制限部に弾性を持たせることができるので、変位制限部１０に対向電極が接触した際、変位制限部１０や可動電極６が破損することを防止できる。なお図３（ａ），（ｂ）に示す例ではストッパ構造８の側壁部に変位制限部１０を形成したが、図４（ａ），（ｂ）に示すように可動電極６側に変位制限部１０を形成してもよい。また図５（ａ），（ｂ）に示すように、変位制限部１０を多重構造に形成することにより変位制限部１０の弾性をより高めるようにしてもよい。また本実施形態ではストッパ構造８の側壁部に変位制限部１０を形成したが、固定電極７の側壁部に変位制限部１０を形成してもよい。
【００１０】
以上、本発明者らによってなされた発明を適用した実施の形態について説明したが、この実施の形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることは勿論であることを付け加えておく。
【図面の簡単な説明】
【００１１】
【図１】本発明の実施形態となる半導体物理量センサの構成を示す断面図である。
【図２】本発明の実施形態となる半導体物理量センサを構成する半導体基板の構成を示す上面図である。
【図３】本発明の実施形態となる変位制限部の構成を示す上面図及び断面図である。
【図４】図３に示す変位制限部の応用例の構成を示す上面図及び断面図である。
【図５】図３に示す変位制限部の応用例の構成を示す上面図及び断面図である。
【符号の説明】
【００１２】
１：半導体物理量センサ
２ａ，２ｂ：ガラス基板
３：半導体基板
４：ビーム（バネ）部
５：フレーム部
６：可動電極
６ａ，７ａ：櫛歯電極
７：固定電極
８ａ〜８ｄ：ストッパ構造
９ａ〜９ｄ：電極端子
９ｅ：接地端子
１０：変位制限部
【図１】
2008292413.tif 000003
【図２】
2008292413.tif 000004
【図３】
2008292413.tif 000005
【図４】
2008292413.tif 000006
【図５】
2008292413.tif 000007
(57)【要約】【課題】従来の遠近両用眼鏡は遠方視凸レンズの中に近方視凹レンズを組み込んで作られているものが多い。従って、使用者が物体を見る場合、物体とレンズとの角度を気にしながら見なければならなかった。【解決手段】遠方視用凸レンズと近方視用凹レンズを重ね合わせることにより視野が広くなり、歩行時の安全が確保される。【選択図】図１
2008292964.tif 000002
【特許請求の範囲】
【請求項１】
老眼用の遠近両用メガネに用いるレンズ。遠方視用凸レンズと近方視用凹レンズを重ねて接着した、広視野の遠近両用メガネ。重ねることで実現する。
【請求項２】
遠方視用と近方視用の凹凸二枚のレンズを重ねて貼り合わせるため、レンズが分厚くならないようにレンズを薄くする。凹凸二枚のレンズの厚さの割合がいずれであっても特許の範囲とする。
【発明の詳細な説明】
【技術分野】
【０００１】      本発明は老眼用の遠近両用眼鏡の視野を広げるためのレンズ作成方法
【背景技術】
【０００２】      従来の遠近両用の眼鏡は物体をみるのにレンズの角度を気にしながら見なければならなかった。しかも視野が狭いために歩行時の安全性に問題があった。
【発明の開示】
【発明が解決しようとする課題】
【０００３】現在、遠近両用眼鏡に使用されているレンズは遠方視用の凸レンズの中に、近方視用の凹レンズを組み込んだ眼鏡レンズであったり、又、レンズの下部分に近方視用のレンズがあり、上部にいくほど遠方視用の凹レンズの度数が高くなっているものが多い。ゆえに物体を見るときに角度を考慮しながら見なければならない。遠近両用眼鏡を掛ける際に違和感が生じ歩行に危険があった。
【課題を解決するための手段】
【０００４】特許の請求の範囲に記載された構成を書く
【発明の効果】
【０００５】  本発明は遠方視用凸レンズと近方視用凹レンズを重ねることにより、広い視野の眼鏡が実現する。凹凸の異なるレンズの中に組み込むことを無くすことにより広い視野が得られる。本レンズを使用する遠近両用眼鏡は掛ける際の違和感もなく、階段等の昇降にも安全性が確保される。
【発明を実施するための最良の形態】
【０００６】本発明のレンズの組み合わせは遠方視凸レンズと近方視凹レンズとを重ね合わせて一枚のレンズとして使用することにある。又、二枚のレンズを重ねるのであるから眼鏡が分厚くならないようにレンズを薄くする。
【図面の簡単な説明】
【０００７】
【図１】  凹凸二枚のレンズを重ね張り合わせた遠近両用眼鏡
【図２】  内側に遠方視用凸レンズ、外側に近方視用凹レンズを張り合わせたレンズ。
【図３】  内側に近方視用凹レンズ、外側に遠方視用凸レンズを張り合わせたレンズ。
【符号の説明】
【０００８】      １．  凹凸二枚重ねたレンズ
２．  フレーム
３．  枠
４．  遠方視用凸レンズ
５．  近方視用凹レンズ
６．  近方視用凹レンズ
７．  遠方視用凸レンズ
【図１】
2008292964.tif 000003
【図２】
2008292964.tif 000004
【図３】
2008292964.tif 000005
(57)【要約】【課題】  楽譜を手でめくる面倒な操作を必要とすることなく、演奏者にとってより使いやすい譜面台を提供する。【解決手段】  本発明による譜面台１では、電子データで取り込まれた楽譜が表示パネル５に表示される。そして、操作部であるペダル９を足で踏むことにより、表示パネル５に表示される楽譜のページ送りが行われる。【選択図】図１
2008292966.tif 000002
【特許請求の範囲】
【請求項１】
楽譜の電子データを取り込んでその楽譜を表示パネルに表示すると共に、足で操作部を踏むことによって楽譜のページ送りが行われる機能を備えたことを特徴とする電子譜面台。
【発明の詳細な説明】
【技術分野】
【０００１】  本発明は、楽譜を電子的に表示する譜面台に関する。
【背景技術】
【０００２】  現在、一般に用いられている譜面台は、楽譜を載せる書架のような構造を有し、演奏時にはこの譜面台に載せた楽譜を演奏者が手でめくるようにしていた。
【発明の開示】
【発明が解決しようとする課題】
【０００３】  しかしながら、演奏者にとっては、演奏中に楽譜を手でめくることは非常に面倒な操作であるという問題があった。
本発明は、このような問題点を解消することを目的としてなされたものである。
【課題を解決するための手段】
【０００４】  上記の目的を達成するために本発明は、楽譜の電子データを取り込んでその楽譜を表示パネルに表示すると共に、足で操作部を踏むことによって楽譜のページ送りが行われる機能を備えた電子譜面台を提供するものである。
【発明の効果】
【０００５】  本発明の譜面台は、表示パネルに表示された楽譜のページ送りを足踏み操作によって行えるので、従来の手めくり動作のような面倒な操作を必要とすることなく、操作が非常に簡単で、演奏者にとってより使いやすい譜面台を提供することができる。
【発明を実施するための最良の形態】
【０００６】  以下、図面を参照しながら本発明の実施例について詳細に説明する。
図１は本発明による譜面台の実施例を示す外観図である。この譜面台１は、台座２と、この台座２から立設される支柱３と、この支柱３に支持される譜面台本体４とを有して構成され、譜面台本体４の前面には例えば液晶パネルによりなる表示パネル５が設けられており、この表示パネル５に楽譜が表示されるようになっている。【０００７】  またこの譜面台１においては支柱３が伸縮調整可能となっており、これによって譜面台本体４の高さを可変調整できるようにしている。さらに譜面台本体４は支柱３に対する角度を調整できると共に、支柱３に対す着脱が自在に行える構成となっている。【０００８】  この譜面台１における譜面台本体４の前面下部にはメモリーカード用のスロット６が設けられており、このスロット６に楽譜の電子データを記録したメモリーカードを装填することにより、このメモリーカードから楽譜の電子データを取り込んで、その楽譜を表示パネル５に表示するものである。なお、７は電源スイッチ、８は画質等の調整ボタンである。【０００９】  そしてこの譜面台１には、操作部として足踏式のペダル９が備えられており、このペダル９を足で踏んで操作することにより、表示パネル５に表示された楽譜のページ送りが行われるようになっている。なお、本実施例ではこのペダル９を譜面台とは別体に設けてあるが、譜面台の台座２にペダル９を一体に組み込んだ構成としてもよい。【００１０】  またこの譜面台１においては、表示パネル５がタッチパネルとなっており、このタッチパネルの所定部分に触れることで、楽譜が拡大表示されるようになっている。【００１１】  この譜面台１には譜面台本体４の内部にマイクロプロセッサ（ＭＰＵ）が組み込まれており、上述した楽譜の表示に係る動作は全てこのマイクロプロセッサの制御によって行われるものである。またこの譜面台１には、譜面台本体４に内蔵されるメモリに膨大な楽譜の電子データを記憶させておくことができ、さらに他の譜面台へも楽譜の電子データを簡単に移すことができる。【００１２】  以上に説明したように本実施例の譜面台１は、表示パネル５に表示された楽譜のページ送りを足踏み操作によって行えるので、従来の手めくり動作のような面倒な操作を必要とすることなく、操作が非常に簡単で、演奏者にとってより使いやすいものとなる。またクラシックの演奏会等ではピアノの横で譜面をめくる人を見かけるが、この譜面台１を用いれば、そのような人の必要がなくなる（但し、この場合は譜面台本体４を支柱３から外し、この譜面台本体４のみを直接ピアノの譜面置きに載せて使用することになる）。【００１３】  さらにこの譜面台１は、表示パネル５に表示される楽譜の拡大表示も可能であるため、演奏者にとって一段と見やすく、使いやすい譜面台を提供することができる。また近視の人も遠視の人も度数に合わせて使用することができ、度数が進んできてもいつまでも使え、別の人が使う場合もその人の度数に合わせて使用することができる。
【図面の簡単な説明】
【００１４】
【図１】  本発明による譜面台の実施例を示す外観図である。
【図１】
2008292966.tif 000003
(57)【要約】【課題】従来の、コイルバネを使用した、跳ね上げ式サングラスは、回転動作の実現にコイルバネの復元力を単純利用していた。しかしながら、前記跳ね上げ式サングラスは、回転動作部の部品や組立工程が多くなりコストが高くなるという難点があった。【解決手段】あらかじめ撓ませたコイルバネを、回転動作軸と接触させて得られる摩擦抵抗力を利用することによって、スムースな回転動作を具備する、低コストの跳ね上げ式サングラスの生産を実現する。【選択図】図２
2008292968.tif 000002
【特許請求の範囲】
【請求項１】
レンズ跳ね上げ機構を備えたことを特徴とする、サングラス。
【請求項２】
前記跳ね上げ機構は、コイルバネの弾性変形を利用した可動装置を備えたことを特徴とする、請求項１記載の、跳ね上げ式サングラス。
【発明の詳細な説明】
【技術分野】
【０００１】この発明は、眼精疲労防止などに用いるサングラスの形状に関する。
【背景技術】
【０００２】従来の、コイルバネを応用した跳ね上げ機構を具備したサングラスは、コイルバネの復元力を回転動作部の保持に利用していた。
【特許文献１】特許公開平１１−２６４９５６号公報
【発明の開示】
【発明が解決しようとする課題】
【０００３】しかしながら、以上の技術によれば、跳ね上げ機構実現のため、かなり多くの細密な部品を使用せざるを得なかったので、その分コストが高くなった。
そこで、この発明は、回転動作部のコイルバネの使い方を工夫し、高品質で廉価な、跳ね上げ式サングラスを提供することを課題とする。
【課題を解決するための手段】
【０００４】以上の課題を解決するために、第一発明は、異なる部材を接触させた場合に部材間に発生する摩擦力を応用した回転動作機構を備えたことを特徴とする眼鏡フレームである。
また、第二発明は、継接部に、回転動作機構を設け、この機構は、機構内部に組み込まれたコイルバネによって動作することを特徴とするサングラスである。
【発明の効果】
【０００５】第一発明、第二発明によれば、可動レンズの回転動作軸がコイルバネとの摩擦力によって保持されるので、レンズの位置を任意に調整することが可能となる。
【発明を実施するための最良の形態】
【０００６】この発明の一実施形態を、図２に示す。
回転動作部は、コイルバネ３と回転動作軸２、及び回転動作保持部１で構成される。この回転動作保持部１の内側にはコイルバネを撓ませる為にスラント部４が一体的に設けられている。回転動作軸２は、スラント部４によって円弧状に撓まされたコイルバネ３によって保持される。【０００７】「実施形態の効果」
この実施形態によれば、弾性素材としてコイルバネを用いている為、部材接触部に磨耗が生じても、コイルバネの内部応力の働きで、磨耗度合いに応じて、部材同士の接触部位が変化するため、可動レンズ部の動きにガタツキが生じにくい。また、摩擦力を利用しているので、可動フレームは常に任意の位置で保持されるので、使い勝手がよくなる。【０００８】「他の実施形態」
図２の実施形態では、弾性素材として金属製のコイルバネを利用したが、他の実施形態では、形状記憶樹脂のようなプラスティック素材を利用しても良い。
【図面の簡単な説明】
【０００９】
【図１】この発明の一実施形態を示す正面図である。
【図２】本発明の拡大正面図である。
【符号の説明】
【００１０】１回転動作保持部
２回転動作軸
３コイルバネ
４スラント（傾斜部）
【図１】
2008292968.tif 000003
【図２】
2008292968.tif 000004
(57)【要約】【課題】左右風向ルーバーを大型化し、吹き出す風の流れを変えようとすると、左右風向ルーバーの風下において、風の剥離が発生する。高湿条件にて、冷房または除湿運転時を行うと、この剥離部に、周囲の高湿空気が流入し結露が発生し、この状態が長く続くと結露部から露が滴下し、家財を濡らしてしまう。【解決手段】冷房または除湿運転時に、室温と湿度を監視し、高湿状態が続いた場合、結露の発生しない角度まで左右風向ルーバーの角度を変化させ結露を防ぐ。また、低湿状態になると、左右風向ルーバーの角度を使用者の希望する元の左右風向位置に戻す。【選択図】図１
2008292099.tif 000002
【特許請求の範囲】
【請求項１】
空気吹出口に設けられた、左右に風向きを変化させるルーバーを備えた空気調和機において、冷房または除湿運転時に、室温と湿度を監視し、高湿状態が続いた場合、結露の発生しない角度まで左右風向ルーバーの角度を変化させ結露を防ぐことを特徴とした空気調和機。
【請求項２】
空気吹出口に設けられた、左右に風向きを変化させるルーバーを備えた空気調和機において、冷房または除湿運転時に、室温と湿度を監視し、高湿状態が続いた場合、結露の発生しない角度まで左右風向ルーバーの角度を変化させ結露を防ぎ、低湿になると、元の左右風向位置に戻ることを特徴とした空気調和機。
【発明の詳細な説明】
【技術分野】
【０００１】
本発明は、空気調和機の室内ユニットの冷房または除湿運転時の結露防止制御に関するものである。
【背景技術】
【０００２】
一般住宅での居室の温度を変化させる手段として空気調和機が使用されることが多くなってきているが、近年ワイドリビング等の普及により従来の住宅に比較し大きな間取りの居室が増えてきており、間取り等の制約により居室の中央への取り付が困難な場合や、奥行き方向が長尺である等部屋の隅々まで空調することが困難な事例が増えてきている。
【０００３】
そのため、居室の隅々まで空調する手段として従来の上下方向の風向調整に加え、左右方向の風向調整の要求が高まっている。さらに、直接気流を感じないよう、風向を正面には出さず、左右各々に吹き出す機能などもあり、左右風向ルーバーを大型化し、吹き出す風の流れの制御が重要となっている。
【０００４】
なお、上下風向ルーバーの結露防止制御としては特許文献１がある。
【０００５】
【特許文献１】特許公開平１０−６１９９９号公報
【発明の開示】
【発明が解決しようとする課題】
【０００６】
しかしながら、左右風向ルーバーを大型化し、吹き出す風の流れを変えようとすると、左右風向ルーバーの風下において、風の剥離が発生する。高湿条件にて、冷房または除湿運転時を行うと、この剥離部に、周囲の高湿空気が流入し結露が発生し、この状態が長く続くと結露部から露が滴下し、家財を濡らしてしまう。
【課題を解決するための手段】
【０００７】
上記課題を解決するため、冷房または除湿運転時に、室温と湿度を監視し、高湿状態が続いた場合、結露の発生しない角度まで左右風向ルーバーの角度を変化させ結露を防ぐことを特徴とする。
【０００８】
また、低湿状態になると、左右風向ルーバーの角度を使用者の希望する元の左右風向位置に戻すことを特徴とする。
【発明の効果】
【０００９】
本発明を実施することにより、左右方向の風の流れを大きく変化させ、かつ結露の発生を抑えることが出来るので、使用者の快適性を高めることが出来る。
【発明を実施するための最良の形態】
【００１０】
第１の発明は、冷房または除湿運転時に、室温と湿度を監視し、高湿状態が続いた場合、結露の発生しない角度まで左右風向ルーバーの角度を変化させ、結露の発生を抑制することが出来る。
【００１１】
第２の発明は、低湿状態になると、左右風向ルーバーの角度を使用者の希望する元の左右風向位置に戻し、使用者の快適性を満足させることが出来る。
【００１２】
図１に、本発明の空気調和機のフローチャートを示す。冷房または除湿運転をスタートすると、使用者により左右風向ルーバーの初期角度θ０が決定し（ステップ１１）、時間カウンタtを初期値０に設定する（ステップ１２）。このとき左右風向ルーバーの角度は、図２の如く正面からの変化量とする。その後、室温Ｔと湿度Ｈを監視し（ステップ１３）、室温Ｔと湿度Ｈの関係が、結露を発生する高湿状態であるか否かを判断する（ステップ１４）。高湿状態にある場合は、時間カウンタｔを確認し、その高湿状態で結露を生じない限界時間t０との比較を行う（ステップ１５）。時間カウンタtが限界時間tＬより小さければ、左右風向ルーバーの角度がいずれにあっても、結露を生じないため、左右風向ルーバー角度は変更せずに時間カウンタtを更新（ステップ１８）して再び室温Ｔと湿度Ｈの監視を行う。時間カウンタtが限界時間tＬよりも大きい時には、左右風向ルーバーの角度を確認し（ステップ１６）、左右風向ルーバーの角度が、その高湿状態での結露を生じない限界角度θＬよりも大きい時には、左右風向ルーバーの角度をθＬまで変更する（ステップ１７）。左右風向ルーバー角度θが、その高湿状態での結露を生じない限界角度θＬよりも小さいときには現状の左右風向ルーバー角度θを維持し、再び室温・湿度の監視を行う。なお、室温Ｔおよび湿度Ｈと、左右風向ルーバーの限界角度θＬの関係は、例えば図３のようになる。また、冷房または除湿運転を続けることにより、室温Ｔと湿度Ｈの関係が、高湿状態で無くなり、左右風向ルーバーへの結露が生じない状態に変化したときには、使用者が決定した左右風向ルーバー角度θ０に戻す（ステップ１９）。以上にして、結露を発生することなく、左右風向角度を使用者の要求する状態へ可能な限り向けることが出来る。
【００１３】
また、本発明の実施例２として実施例１を簡易化したものが考えられる。上記実施例１に対し高湿状態の判定を、例えば図４のように湿度のみとし、高湿状態Ｈ１、準高湿状態Ｈ２、その他の領域Ｈ３に分割し、高湿状態Ｈ１の時には左右風向ルーバーの角度θを０°にし、高湿状態Ｈ２の時には左右風向ルーバーの角度θを半分にし、その他の領域Ｈ３では何も変更しない、という方式が考えられる。
【図面の簡単な説明】
【００１４】
【図１】本発明の実施形態のフローチャート。
【図２】本発明の左右風向ルーバーの限界角度。
【図３】本発明の左右風向ルーバーの限界角度を決定する概念図。
【図４】本発明の簡易化した高湿状態の概念図。
【符号の説明】
【００１５】
２０…熱交換器、２１…送風機、２２…左右風向ルーバー。
【図１】
2008292099.tif 000003
【図２】
2008292099.tif 000004
【図３】
2008292099.tif 000005
【図４】
2008292099.tif 000006
(57)【要約】【課題】ドレンパンとドレンパン用発泡断熱材の間に凝縮水が入り込むと、ドレンパンが冷されて、ドレンパン外壁に露付きが発生する。そのための解決手段として、容易で作業工程が少ない方法が必要となる。本発明の課題は、凝縮水がドレンパンとドレンパン用発泡断熱材の間に流れ込んでドレンパンの外壁に露付きすることを防止すること及び作業工数を低減させることにある。【解決手段】ドレンパン用発泡断熱材の発泡倍率を低くし、凝縮水を排出させるドレンパン排出口とドレンパン用発泡断熱材排出口のみを接着させることを特徴とする。【選択図】図１
2008292100.tif 000002
【特許請求の範囲】
【請求項１】
ドレンパンと前記ドレンパンの内壁に配置されるドレンパン用発泡断熱材において、凝縮水がドレンパンとドレンパン用発泡断熱材の間に流れ込んでドレンパンの外壁に露付きすることを防止すること及び作業工数を低減させることを目的に、ドレンパン用発泡断熱材の発泡倍率を低くし、凝縮水を排出させるドレンパン排出口とドレンパン用発泡断熱材排出口のみを接着させることを特徴とした空気調和機。
【発明の詳細な説明】
【技術分野】
【０００１】
本発明は、空気調和機の室内ユニットのドレンパンの構造に関するものである。
【背景技術】
【０００２】
近年、空気調和機の室内吐出空気の気流制御が複雑になるにつれて、室内機の吐出口に配置されるドレンパン外壁への露付きが多くなる傾向にある。そのため、断熱材の部品点数を低減するために、ドレンパンの内壁にドレンパン用発泡断熱材を取付けることが多くなっている。そのため、簡単にドレンパンの内壁にドレンパン用発泡断熱材を取付ける必要がある。
【０００３】
従来の文献としては、ドレンパン外壁の露付き防止として、特許文献１が有る。
【０００４】
【特許文献１】特開２００６−３００４３１号公報
【発明の開示】
【発明が解決しようとする課題】
【０００５】
しかしながら、ドレンパンとドレンパン用発泡断熱材の間に凝縮水が入り込むと、ドレンパンが冷されて、ドレンパン外壁に露付きが発生する。そのための解決手段として、容易で作業工程が少ない方法が必要となる。
【０００６】
そこで、本発明は容易で作業工程が少ない方法及び構造とすることを目的とする。
【課題を解決するための手段】
【０００７】
上記課題を解決するため、ドレンパン用発泡断熱材の発泡倍率を低くし、凝縮水を排出させるドレンパン排出口とドレンパン用発泡断熱材排出口のみを接着させることを特徴とする。
【発明の効果】
【０００８】
本発明を行なうことにより、凝縮水がドレンパンとドレンパン用発泡断熱材の間に流れ込んでドレンパンの外壁に露付きすることを防止すること及び作業工数を低減させることができる。
【発明を実施するための最良の形態】
【０００９】
第１の発明は、凝縮水がドレンパンとドレンパン用発泡断熱材の間に流れ込んでドレンパンの外壁に露付きすることを防止すること及び作業工数を低減させることを目的に、ドレンパン用発泡断熱材の発泡倍率を低くし、凝縮水を排出させるドレンパン排出口とドレンパン用発泡断熱材排出口のみを接着させる。
【００１０】
図１は、本発明の第１の実施形態における空気調和機の側面の断面図を示すものである。
【００１１】
図１において、室内機のキャビネット１と化粧枠２と熱交換器３と上下風向ルーバー４と左右風向ルーバー５と室内送風ファン６とドレンパン７より構成される室内の空気調和機において、ドレンパン７の内壁に配置されるドレンパン用発泡断熱材８において、凝縮水９がドレンパン７とドレンパン用発泡断熱材８の間に流れ込むとドレンパン７の外壁に露付きすることがある。そのため、凝縮水９がドレンパン７とドレンパン用発泡断熱材８の間に流れ込まないようにする必要がある。
【００１２】
図２は、本発明の実施形態の概略図である。
【００１３】
ドレンパン７のドレンパン排出口１０にドレンパン用発泡断熱材８のドレンパン用発泡断熱材排出口１１が位置する。
【００１４】
熱交換器３から凝縮水９は、ドレンパン用発泡断熱材８に落ちる。その後、ドレンパン用発泡断熱材排出口１１を経由して、ドレンパン排出口１０からドレンホース１３へ行き、凝縮水９は、室外に排出される。
【００１５】
この時、ドレンパン用発泡断熱材排出口１１とドレンパン排出口１０の間に隙間があると、凝縮水９は、ドレンパン７とドレンパン用発泡断熱材８の間に流れ込み、ドレンパン７の外壁に露付きする。また、発泡素材を発泡すると、発泡ビーズの間に隙間が生じて、その隙間から凝縮水９がドレンパン７とドレンパン用発泡断熱材８の間に流れ込み、ドレンパン７の外壁に露付きする。
【００１６】
本発明では、これを防止するために、ドレンパン用発泡断熱材８の発泡倍率を低くし、発泡ビーズの間の隙間を小さくすることにより、発泡ビーズの間への凝縮水９の侵入を防止し、凝縮水９を排出させるドレンパン排出口１０とドレンパン用発泡断熱材排出口１１のみを接着すれば、ドレンパン７とドレンパン用発泡断熱材８の間に流れ込みを防止し、ドレンパン７の外壁への露付を防ぐことが出来る。尚、発泡倍率は、２０倍以下とする必要がある。
【図面の簡単な説明】
【００１７】
【図１】本発明の実施形態の説明に適用される空気調和機の側面の断面図である。
【図２】本発明の実施形態の概略図である。
【符号の説明】
【００１８】
１…キャビネット、２…化粧枠、３…熱交換器、４…上下風向ルーバー、５…左右風向ルーバー、６…室内送風ファン、７…ドレンパン、８…ドレンパン用発泡断熱材、９…凝縮水、１０…ドレンパン排出口、１１…ドレンパン用発泡断熱材排出口、１２…接着剤、１３…ドレンホース。
【図１】
2008292100.tif 000003
【図２】
2008292100.tif 000004
(57)【要約】【課題】攪拌羽根のエッジ部分で容器内部を傷つけない電動攪拌機を提供する。【解決手段】電動攪拌機１０の本体１２から突出した攪拌軸１４の先端に攪拌羽根１６が取り付けられ、この攪拌羽根１６が攪拌軸１４の先端部にある袋ナット３２によって固定され、袋ナット３２の長さが、羽根２４の長さより長いものである。【選択図】      図１
2008188561.tif 000002
【特許請求の範囲】
【請求項１】
モータを内蔵した本体から、前記モータの出力軸に連結された攪拌軸が突出し、この攪拌軸の先端部近傍に攪拌羽根が取り付けられた電動攪拌機において、
前記攪拌羽根が前記攪拌軸の先端部近傍に固定部材によって固定され、
前記固定部材の軸方向の長さを、前記攪拌羽根の各羽根より長くする
ことを特徴とする電動攪拌機。
【請求項２】
前記攪拌軸の先端部に雄ネジが設けられ、前記固定部材が前記雄ネジと螺合する袋ナットである
ことを特徴とする請求項１記載の電動攪拌機。
【発明の詳細な説明】
【技術分野】
【０００１】
本発明は、コンクリート等を攪拌する電動攪拌機に関するものである。
【背景技術】
【０００２】
モルタルやコンクリート等を攪拌するために電動攪拌機が用いられている。この電動攪拌機は、モータを内蔵した本体からシャフトが突出し、このシャフトの先端に攪拌羽根が取り付けられている。作業者は、一斗缶等の容器に攪拌したいコンクリートや水を入れ、本体から突出しているハンドルを持って攪拌羽根をその容器内部に入れ、容器内部のコンクリートを水と共に攪拌するものである（例えば、特許文献１参照）。
【特許文献１】特開２００５−３１３０４０公報
【発明の開示】
【発明が解決しようとする課題】
【０００３】
上記のような電動攪拌機においては、攪拌羽根のエッジ部分で攪拌材料を入れる一斗缶等の容器を傷つけ、容器の寿命が短くなるという問題点がある。また、これを改善するために攪拌羽根の外周にリング等を設ける構造が提案されているが、部品等の追加によりコストアップにつながり、また電動攪拌機の製造工程が増加するという問題点がある。
【０００４】
そこで、本発明は上記問題点に鑑み、攪拌羽根のエッジ部分で容器内部を傷つけない電動攪拌機を提供する。
【課題を解決するための手段】
【０００５】
請求項１に係る発明は、モータを内蔵した本体から、前記モータの出力軸に連結された攪拌軸が突出し、この攪拌軸の先端部近傍に攪拌羽根が取り付けられた電動攪拌機において、前記攪拌羽根が前記攪拌軸の先端部近傍に固定部材によって固定され、前記固定部材の軸方向の長さを、前記攪拌羽根の各羽根より長くすることを特徴とする電動攪拌機である。
【０００６】
請求項２に係る発明は、前記攪拌軸の先端部に雄ネジが設けられ、前記固定部材が前記雄ネジと螺合する袋ナットであることを特徴とする請求項１記載の電動攪拌機である。
【発明の効果】
【０００７】
本発明によれば、攪拌軸の先端の固定部材が攪拌羽根の各羽根よりも長いため、各羽根のエッジ部分が容器の底面に当たることがなく、容器を傷つけない。
【発明を実施するための最良の形態】
【０００８】
本発明の一実施形態の攪拌電動機１０について、図１と図２に基づいて説明する。
【０００９】
図１に示すように、この電動攪拌機１０は、本体１２内部にモータ１３が内蔵され、このモータ１３の出力軸に攪拌軸１４が連結されている。攪拌軸１４は本体１２から突出しその先端近傍に攪拌羽根１６が取り付けられている。
【００１０】
本体１２は、作業者が手に持つための取手部１８を有し、この取手部にトリガー式のスイッチ２０が設けられている。また、本体１２の取手部１８の端部からは、電源コード２２が延びている。この電源コード２２から供給される電源によってモータ１３が回転する。
【００１１】
次に、攪拌羽根１６の取付け構造について説明する。
【００１２】
攪拌羽根１６は、図１に示すように平面形状が円形の板の外周部分をそれぞれ上下方向に折曲し、羽根２４を形成している。この攪拌羽根１６の中心には、貫通孔２６が設けられている。
【００１３】
攪拌軸１４の先端部には雄ネジ２８が設けられ、この雄ネジ２８の基部には六角ナット３０が取り付けられている。この六角ナット３０を取り付けた後、ワッシャ等を挟んで攪拌羽根１６の貫通孔２６を雄ネジ２８に貫通させ、さらにワッシャ等を挟んで袋ナット３２を雄ネジ２８に螺合し、攪拌羽根１６を攪拌軸１４に取り付ける。この場合に袋ナット３２の軸方向の長さを、図１に示すように攪拌羽根１６の下方に折り曲げられた羽根２４の長さよりも例えば、１．５〜２ｃｍ長くしておく。そのために、雄ネジ２８の軸方向の長さも１．５〜２ｃｍ長くしておく。
【００１４】
上記構成の電動攪拌機１０を作業者が手に持って、一斗缶３４に入れ、コンクリート３６等を攪拌すると、攪拌軸１４の下端は袋ナット３２が取り付けられているため、この袋ナット３２が一斗缶３４の底面に当たる。この場合に、攪拌羽根１６の各羽根２４の下方のエッジ部分は、袋ナット３２より１．５ｃｍ〜２ｃｍ上方に位置するため、攪拌羽根１６が回転しても、一斗缶３４の底面を傷つけることがない。そのため、一斗缶３４の寿命を長くすることができる。
【００１５】
また、袋ナット３２と雄ネジ２８を長くするだけであるため、部品等の追加が不要であり、また、製造工程も増加することがない。
【図面の簡単な説明】
【００１６】
【図１】本発明の一実施形態を示す電動攪拌機の側面図である。
【図２】攪拌軸の先端部分の縦断面図である。
【符号の説明】
【００１７】
１０  電動攪拌機
１２  本体
１３  モータ
１４  攪拌軸
１６  攪拌羽根
２４  羽根
２８  雄ネジ
３２  袋ナット
３４  一斗缶
３６  コンクリート
【図１】
2008188561.tif 000003
【図２】
2008188561.tif 000004
(57)【要約】【課題】  保温装置がずり落ちないようにする事、血行を損わない事、長時間の歩行や軽い運動に支障がない事、痛みを和らげる事を目的にする。【解決手段】ズボン又はスカートのウエスト附近に位置付けした吊り下げ其をさし留める留め具と、該留め具よりズボン又はスカートの内部を軸方向に吊り下げられた先端部には、膝を囲った囲繞部が連接され、前記囲繞部には中央部に保温剤を収納する収納部と縮減拡大の加減を任意に調整できる接合部を備えていることを特徴とする膝の保温装置である。【選択図】    図１
2008188252.tif 000002
【特許請求の範囲】
【請求項１】
保温材を収納する膝の保温装置であって、下部には膝の囲みに、弾性材料を用いて、かつ保温剤を収納する収納部とを備えた囲繞部と、上部には、ウエスト附近に配置する調節体は、取付け具により、位置付けし、前記囲繞部に連接したつなぎ物の上端が、前記調節体に内在する適宜の長さを調整する調整部より引き出されている。ことを特徴とする膝の保温装置である。
【請求項２】
囲繞部は膝の囲み具合を任意に調整する手段をもった請求項１、に係る、膝の保温装置である。
【請求項３】
つなぎ物は紐を用いた請求項１、請求項２に係る膝の保温装置である。
【発明の詳細な説明】
【技術分野】
【０００１】
本発明は膝を温める保温装置に関するものである。
更に詳しくは膝が冷えた時、痛い時の利用に関するものである。
【背景技術】
【０００２】
例えば膝の痛みから解放するには、長時間膝を温める必要があるが従来は膝を温める保温装置は直接、膝に装着するため、ずり落ちないように強く締め付けていた。
【発明の開示】
【発明が解決しようとする課題】
【０００３】
膝の痛みから解放するには膝を温める必要があり、上記したような従来の装着方法は次のような課題があった。膝を温める保温装置はずり落ちないように強く締め付けると血行がわるくなり締め付けを加減するとずり落ちたりして程よい締め付けは難儀であった。
【課題を解決するための手段】
【０００４】
上記目的を達成するために講じた本発明の手段は、次のとうりである。
すなわち、本発明は、第一の手段にあっては保温材を収納した膝の保温装置であって、
保温材を収納する膝の保温装置であって、下部には膝の囲みに、弾性材料を用いて、かつ保温剤を収納する収納部とを備えた囲繞部と、上部には、ウエスト附近に配置する調節体は、取付け具により、位置付けし、前記囲繞部に連接したつなぎ物の上端が、前記調節体に内在する適宜の長さを調整する調整部より引き出されている。ことを特徴とする膝の保温装置である。
【０００５】
第二の手段にあっては、囲繞部は膝の囲み具合を任意に調整する手段を持った第一手段にかかる膝の保温装置である。
【０００６】
第三の手段にあっては、つなぎ物は紐を用いた第一手段、第二手段に係る膝の保温装置である。
【発明の効果】
【０００７】
本発明は、上記課題を解決するもので保温装置がずり落ちないようにする事、血行を損なわない事、長時間の歩行や軽い運動に支障がない事、痛みを和らげる事、の効果を得られる。
【発明を実施するための最良の形態】
【０００８】
図（１）を参照にして本実施例の作用を説明する
図（１）は、本発明に係る保温装置の実施例を示す既略図である
まず保温装置の上端部には調節体（６）が取付け具（７）（７‘）によりズボン又はスカートなどのウエスト部に引っ掛けられていて、前記調整体（６）からズボン又はスカートの内側を紐又は布地のつなぎ物（５）（５‘）により、吊り下げられた囲繞部（１）が膝を囲む位置にくるように前記つなぎ物（５）（５‘）は調整部により任意の長さに調整された上端（８）（８‘）が引き出されている、又囲繞部（１）には中央部の収納部（３）に保温剤（２）が納まっている、又囲繞部（１）は縮減、拡大の加減を、接合部（４）により任意に調整できるようにしてある。
【実施例】
【０００９】
なお、本発明は図示の実施例に限定するものではなく、囲繞部はつなぎ物と一体を成した等、特許請求の範囲の記載において、種々の変形が可能である。
【図面の簡単な説明】
【００１０】
【図１】本発明の実施の形態に係る保温装置の既略図である。
【符号の説明】
【００１１】
１      囲繞部
２      保温剤
３      収納部
４      接合部
５      つなぎ部
５‘    つなぎ部
６      調節体
７      取付け具
７‘    取付け具
８      つなぎ部上端
８‘    つなぎ部上端
９      調整部
９‘    調整部
【図１】
2008188252.tif 000003
(57)【要約】      （修正有）【課題】従来の指圧器具は指圧しただけの運動量が新たな疲労として残る。【解決手段】弾性  柔軟性のある素材を使用することで対象物の素材に関らず指圧器具は対象物の形状硬軟に沿ってフレキシブルに形をあわせられるので無理なく身体に適度な負荷をかけられる。  指圧突起物を的確に患部部位に容易に当てられる。自らの身体を揺らし体重を掛け強弱をつけ適度な負荷を与えると同時に自在に部位を変えられる。従来指圧器具に有りがちな指圧を行うために費やす運動量以上の腕肩等の局部的全身への筋肉疲労を蓄積してしまうようなことが無く身体を揺らし患部部位を指圧器具に押し当てるだけで確かな使用効果を得られる。【選択図】図１
2008188283.tif 000002
【特許請求の範囲】
【請求項１】
突起物を施したシート状の指圧器具を身体にかけ、また手持ちで保持し安定物に指圧器具を身体ごと押しつけ自らの体重の指圧器具へのかけかたの強弱で突起物から受ける指圧効果、刺激を自在に変えることが出来ることを特徴とした指圧器具。
【発明の詳細な説明】
【技術分野】
【０００１】
本発明は、自身の体重を当該部位にかけることで指圧効果を得られることに関する
ものである。
【背景技術】
【０００２】
当該部位にかかる負荷を自在に調整できる。
【発明の開示】
【発明が解決しようとする課題】
【０００３】
従来の指圧器具は指圧をするほどに疲労する。
【課題を解決するための手段】
【０００４】
一人では出来ない患部に自在に強弱をつけながら自身に疲労をかける事無く指圧効果を得られることが出来る。
【発明の効果】
【０００５】
従来に指圧器具は腕全体の筋肉に負担をかける。特に背中への指圧は効果を得ることが
難しく仰臥横臥して器具を当てると身体を動かすことさえ難しく苦痛を伴うことがある、
本発明は患部の症状、部位にあわせ自身の体重を加減しながら自在に負荷かけることが出来る。
【発明を実施するための最良の形態】
【０００６】
例えばランドセルのように背負い指圧したい部位に突起物を当て壁面等に押しつけ
体重をかける。
【産業上の利用可能性】
【０００７】
従来一人では容易に指圧できない部位に突起物を正確に中て身体に掛かる負荷を
自在に調整できる。手足が負傷していても使用可能。
【図面の簡単な説明】
【０００８】
身体と壁面の間に指圧器具を配置、身体を揺するイメージ。
【図１】
【符号の説明】
【０００９】
１、壁面    ２、床    3指圧器具  
【図１】
2008188283.tif 000003
(57)【要約】【課題】車両の室内やリビング等で使用するのに特に有効な、生活感がなく視覚性の優れた、ぬいぐるみ型レジ袋を提供する。【解決手段】ぬいぐるみ体の一部に開口する収納口を設け、ぬいぐるみ体の内部にレジ袋を収納することを特徴とする、ぬいぐるみ型レジ袋入れ。【選択図】図１
2008188385.tif 000002
【特許請求の範囲】
【請求項１】
ぬいぐるみ体の一部に開口する収納口を設け、ぬいぐるみ体の内部にレジ袋を収納することを特徴とする、ぬいぐるみ型レジ袋入れ。
【発明の詳細な説明】
【技術分野】
【０００１】本発明は、ぬいぐるみ体の内部にレジ袋を収納することができる、ぬいぐるみ型レジ袋入れに関するものである。
【背景技術】
【０００２】従来、ゴミ箱内部に、小売店等から供与されるレジ袋等をゴミ袋等として収容し、ゴミ袋の中にゴミを収納後、ゴミ袋ごと廃棄することが日常的に行われている。従来から、このレジ袋を収納し貯めておくレジ袋入れがある。例えば、レジ袋を上から入れて下から出すレジ袋入れが知られている。〔特許文献１〕
【特許文献１】  特許公開平１０−１２７４６５
【発明の開示】
【発明が解決しようとする課題】
【０００３】しかし、それらのものは車両の室内や家のリビング等で使う場合、次のような問題点があった。
（イ）多量に収納できる従来のレジ袋入れは大きくて邪魔である。
（ロ）生活感のある日用品的デザインのため視覚性がよくない。
本発明は、以上の問題点を解決するためになされたものである。
【課題を解決するための手段】
【０００４】ぬいぐるみ体の一部に開口する収納口を設け、ぬいぐるみ体の内部にレジ袋を収納する。以上を特徴とする、ぬいぐるみ型レジ袋入れである。
【発明の効果】
【０００５】本発明は、多量のレジ袋を必要としない、車両の室内や家のリビング等に使用するのに特に有効である。また、多種多様なデザインにすることができ、視覚性のよい生活感のない日用品になる。
【発明を実施するための最良の形態】
【０００６】以下、本発明の実施の形態について説明する。
〔イ〕布や軟性の合成樹脂等を主材として、胴部（１６）と手部（１７）と足部（１８）と目部（１９）と耳部（２０）と鼻部（２１）と口部（２２）からなる、犬や猫などの可愛い動物やキャラクターをモデルにした、ぬいぐるみ体（１）で、内部に空洞部（７）を設け、レジ袋（２３）の収納部（９）とする。
〔ロ〕空洞部（７）は、布や軟性の合成樹脂等の内袋部（８）からなる二重構造により、ぬいぐるみ体（１）内部の縫い目を隠し、縫い糸のほぐれを防ぐ構造とする。
〔ハ〕ぬいぐるみ体（１）の背面部（１５）の左右中心位置に、下端部（１３）の位置から上端部（１２）に向け、１０センチ程の縦方向に開放した開口部（２）を設け、開口左端部（５）と開口右端部（６）を左右横方向に開くことにより収納部（９）が現われる構造とする。
〔二〕開口部（２）の開口左端部（５）と開口右端部（６）の一部に、開口部（２）を閉じるための面テープ等の止め具（１０）を設ける。
〔ホ〕開口上端部（３）と上端部（１２）の間の位置に、ぬいぐるみ体（１）に両端を固着した、Ｕ字状の吊り具（１１）を設ける。
本発明は、以上の構成よりなっている。
本発明を使用するときは、開口左端部（５）と開口右端部（６）の止め具（１０）を外し、図２に示すように開口左端部（５）と開口右端部（６）を左右横方向に開くことにより収納部（９）が現われ、開口部（２）より容易にレジ袋（２３）を収納部（９）に収納でき、開口左端部（５）と開口右端部（６）の止め具（１０）で開口部（２）を閉じることができる。また、未収納時は図３に示すようにペチャンコの、ぬいぐるみ体（１）だが、レジ袋（２３）を満量に収納すると可愛いぬいぐるみ体（１）となり、レジ袋（２３）の収納量が、ぬいぐるみ体（１）の状態により目視確認することができる。
さらに、置いて使用するだけではなく、吊り具（１１）を使い、構造体のフック等に吊して使用することもできる。
【図面の簡単な説明】
【０００７】
【図１】  本発明の背面図
【図２】  本考案の使用状態を示す背面図
【図３】  本発明の側面図
【図４】  本発明の使用状態を示す側面図
【図５】  本発明の正面図
【符号の説明】
【０００８】  １      ぬいぐるみ体
２      開口部
３      開口上端部
４      開口下端部
５      開口左端部
６      開口右端部
７      空洞部
８      内袋部
９      収納部
１０    止め具
１１    吊り具
１２    上端部
１３    下端部
１４    前面部
１５    背面部
１６    胴部
１７    手部
１８    足部
１９    目部
２０    耳部
２１    鼻部
２２    口部
２３    レジ袋
【図１】
2008188385.tif 000003
【図２】
2008188385.tif 000004
【図３】
2008188385.tif 000005
【図４】
2008188385.tif 000006
【図５】
2008188385.tif 000007
(57)【要約】      （修正有）【課題】ゴルフなどのスコアを簡単かつ正確に入力し、その計算を自動的に行なうデジタル方式の時計を提供する。【解決手段】入力装置を４つのボタンだけにして、ショットだけを指定したボタンで入力するのでボールを打った時にだけ１回ボタンを押すことでスコアが加算され正しいスコアを把握することが簡単にできる。打数は自動的に計算されその合計数もプレー途中でも簡単な操作で表示することができるのでプレーに専念することができるようになる。時刻を知りたい時は指定されたボタンを押すだけで自動表示されるので利便性が増す。【選択図】図１
2008188388.tif 000002
【特許請求の範囲】
【請求項１】
ゴルフなどの競技を行なう際に、そのスコアの入力をセットするボタン、入力するボタン、記憶するボタン、合計数を表示させるボタンを配置したデジタル方式の時計。
【請求項２】
請求項１のボタンはそれぞれが独立した機能をするが、複数の組み合わせによって数多くの異なった表示をさせることができるデジタル方式の時計。
【発明の詳細な説明】
【技術分野】
【０００１】  本発明はゴルフなどのスコアを簡単かつ正確に入力し、その計算を自動的に行なうデジタル方式の時計に関する。
【背景技術】
【０００２】  従来のスコア入力はゴルフの場合スコアカードなどに筆記具などで記入をして合計数を計算するものである。またデジタル方式のスコアカウンターの場合、事前の設定が必要であり、ショットの種類などを分けて入力しなければならない。【０００３】  以下、図２により従来のゴルフのスコアカードについて説明する。図において３０はホール番号、３１はパーの数、３２はバックティからの距離、３３フロントティからの距離、３４はレディスティからの距離、３５スコアを入力するスペース、３６はコース難易度順位になっている。３０、３１、３２、３３、３４、３６はあらかじめ印刷されていて、プレイヤーは３５に筆記具などで実打数を記入する。デジタル方式のスコアカウンターの場合は事前にホール毎のパーの数を入力し、ショットとパッティングを分けて入力する。
【発明の開示】
【発明が解決しようとする課題】
【０００４】  以上に述べた従来のゴルフのスコアカードは毎回の打数を記録することができないだけではなく、合計打数もプレイヤーが記憶しておくしかなかった。デジタル方式のスコアカウンターは事前に各ホールのパーの数を入力しなければならなかったり、プレー中にショットとパッティングを分けて入力しなければならないものであった。【０００５】  本発明はこのような従来のスコア入力方法をより確実に、そして簡単に操作できることを目的とするものである。【０００６】  そして、本発明は上記目的を達成するために、ショットを１回のボタン操作でその数を表示しまたはメモリーし、事前にコースの情報を入力したり、ショットとパッティングの区別をすることなくスコアを入力ができるものである。【０００７】  また、第２の課題解決手段は、スコア入力中でも複数のボタンを操作することで前のホールまでの合計数を表示させたり、現在の時間を表示させることなどができる機能を有している。【０００８】  上記第１の課題解決手段による作用は次の通りである。すなわち、時計モードからスコアカウンターモードに１つのボタンの操作で切り替えるだけですぐにスコア入力状態に切り替わりスコアが入力できるようになる。スコア入力を誤った場合でも２つのボタン操作で加減操作ができる。そして１つのホールのプレーが終了した時に画面のスコアを確認した後１つのボタンを押すだけでそのホールの打数がメモリーされ自動的に次のホールの入力状態にセットされる。また、スコア入力中でも指定された１つのボタンを押すことでいつでも時刻の確認ができる。【０００９】  また第２の課題解決手段による作用は、スコア入力モードでも指定された２つのボタンを同時に押すことによって、プレーをしている前のホールまでの合計打数を表示させることができる。その時の表示は１８ホールを９ホールずつに分けたスコアの合計数を表示する。
【発明の効果】  以下、本発明の実施の形態を図１〜図２に基づいて説明する。【００１０】  図１においてＡはストローク（打数）を加算するボタン、Ｂは表示されているストロークを減算するボタン、Ｃはそのホールのストローク数を確定するボタンで長押し（３秒以上）をすると強制終了する機能も併せ持つ。Ｄは時計表示モードからスコア入力モードに切り替えるボタンでスコア入力状態の時に長押し（３秒以上）をすると時計モードに一時的に戻る機能を併せ持つ。
【産業上の利用可能性】
【００１１】  上述したように本発明のスコアカウンター時計はスコアをデジタル方式で簡単にメモリーをして計算するだけではなく誤入力時の修正もすぐにできる。そして前のホールまでの９ホール単位の合計打数を簡単に表示することができるのですぐに自分のスコアを把握することができる。【００１２】  また、スコア入力中でも時計機能に切り替えられるのですぐに時刻確認ができる。その際入力されたスコアはそのままメモリーされているのでスコア入力機能に切り替えればスコア入力が続けられる。
【図面の簡単な説明】
【００１３】
【図１】本発明の実施形態を示すスコアカウンター時計外観図
【図２】従来のゴルフスコアカードの図
【図３】本発明の実施形態を示すフローチャート１
【図４】本発明の実施形態を示すフローチャート２
【図５】本発明の実施形態を示すフローチャート３
【図６】本発明の実施形態を示すフローチャート４
【図７】本発明の実施形態を示すフローチャート５
【図１】
2008188388.tif 000003
【図２】
2008188388.tif 000004
【図３】
2008188388.tif 000005
【図４】
2008188388.tif 000006
【図５】
2008188388.tif 000007
【図６】
2008188388.tif 000008
【図７】
2008188388.tif 000009